(57)【要約】【課題】床面の浸水を防止できる冷水器を備えた冷蔵庫を提供する。【解決手段】貯蔵室３内に配される水タンク１３に連結した取水口３０ａを上部に配した取水部１１を貯蔵室３の扉３ａの前面に凹設し、取水口３０ａから水タンク１８内の水を取水する冷水器１０を備えた冷蔵庫１において、取水口３０ａから滴下する水を取水部１１の背壁１１ｂに向けて反射させる反射部４２を設けた。【選択図】図４
2011012829.tif 000002
【特許請求の範囲】
【請求項１】
貯蔵室内に配される水タンクに連結した取水口を上部に配した取水部を前記貯蔵室の扉の前面に凹設し、前記取水口から前記水タンク内の水を取水する冷水器を備えた冷蔵庫において、前記取水口から滴下する水を前記取水部の背壁に向けて反射させる反射部を設けたことを特徴とする冷蔵庫。
【請求項２】
前記反射部は前記取水部の底面に突設して上面を後方が下がる傾斜面に形成した突起部から成ることを特徴とする請求項１に記載の冷蔵庫。
【請求項３】
前記反射部は後方が下がる傾斜面に形成した前記取水部の底面から成ることを特徴とする請求項１に記載の冷蔵庫。
【請求項４】
前記反射部は前記取水部の底面に突設されるとともに前記取水口の鉛直直下近傍の少なくとも前方を覆う反射リブから成ることを特徴とする請求項１に記載の冷蔵庫。
【請求項５】
前記取水部の底面からの流水を防止する遮蔽リブを前記取水部の底面前部に突設し、前記反射部よりも前記遮蔽リブを高くしたことを特徴とする請求項２〜請求項４のいずれかに記載の冷蔵庫。
【請求項６】
前記取水部の底面が着脱自在の水受皿により形成されることを特徴とする請求項１〜請求項５のいずれかに記載の冷蔵庫。
【発明の詳細な説明】
【技術分野】
【０００１】
本発明は、冷水器を備えた冷蔵庫に関する。
【背景技術】
【０００２】
従来の冷蔵庫は特許文献１〜３に開示されている。この冷蔵庫は貯蔵室を開閉する扉の前面から取水する冷水器を備えている。冷水器は扉の背面に配される水タンクと扉の前面に配される取水部とを有し、取水部の上部に設けられる取水口が扉を貫通する給水パイプにより水タンクに連結されている。給水パイプには止水弁が設けられ、取水部の背面には止水弁を開閉するレバー等の開閉部が設けられる。
【０００３】
水タンクに注水して扉を閉じると水タンク内の水が冷却される。使用者が取水口の下方にコップ等の容器を設置して開閉部を押圧すると止水弁が開かれる。これにより、取水口を介して水タンク内の冷水を容器内に取水することができる。そして、容器を開閉部から離すと止水弁が閉じられる。
【先行技術文献】
【特許文献】
【０００４】
【特許文献１】特開平９−１２６６５０号公報（第３頁−第６頁、第２図）
【特許文献２】特開平９−２２９５３１号公報（第３頁−第４頁、第２図）
【特許文献３】特開２００６−１５３３６６号公報（第３頁−第６頁、第１図）
【発明の概要】
【発明が解決しようとする課題】
【０００５】
しかしながら、上記従来の冷蔵庫によると、使用者がコップ等の容器を取水後に離した際に給水パイプ内に残留した水が取水口から滴下する。この時、取水口から滴下した水が取水部の水平面から成る底面で跳ね返る。この時、滴下した水は取水部の底面であらゆる方向に跳ね返るため、前方に跳ね返って取水部を超えた水により床面が浸水する問題があった。
【０００６】
本発明は、床面の浸水を防止できる冷水器を備えた冷蔵庫を提供することを目的とする。
【課題を解決するための手段】
【０００７】
上記目的を達成するために本発明は、貯蔵室内に配される水タンクに連結した取水口を上部に配した取水部を前記貯蔵室の扉の前面に凹設し、前記取水口から前記水タンク内の水を取水する冷水器を備えた冷蔵庫において、前記取水口から滴下する水を前記取水部の背壁に向けて反射させる反射部を設けたことを特徴としている。
【０００８】
この構成によると、水タンク内に注水して扉が閉じられと水タンク内の水が冷却される。取水部にコップ等の容器を配して所定の操作により開かれた取水口から冷水が取水される。取水後の容器を離した際に取水口から滴下する水は反射部で取水部の背壁方向に反射して前方への跳ね返りが防止される。
【０００９】
また本発明は、上記構成の冷蔵庫において、前記反射部は前記取水部の底面に突設して上面を後方が下がる傾斜面に形成した突起部から成ることを特徴としている。この構成によると、取水部の底面には反射部を構成する突起部が突設される。突起部の上面は後方が下がる傾斜面に形成され、取水口から滴下する水は該傾斜面で取水部の背壁方向に反射する。
【００１０】
また本発明は、上記構成の冷蔵庫において、前記反射部は後方が下がる傾斜面に形成した前記取水部の底面から成ることを特徴としている。この構成によると、取水部の底面は後方が下がる傾斜面に形成されて反射部を構成する。取水口から滴下する水は該傾斜面で取水部の背壁方向に反射する。
【００１１】
また本発明は、上記構成の冷蔵庫において、前記反射部は前記取水部の底面に突設されるとともに前記取水口の鉛直直下近傍の少なくとも前方を覆う反射リブから成ることを特徴としている。この構成によると、取水部の底面には反射部を構成する反射リブが突設される。反射リブは取水口の鉛直直下近傍の前方を覆う例えばアーチ状に形成される。取水口から滴下する水は取水部の底面で反射し、前方に反射した水滴は反射リブで更に後方に反射する。
【００１２】
また本発明は、上記構成の冷蔵庫において、前記取水部の底面からの流水を防止する遮蔽リブを前記取水部の底面前部に突設し、前記反射部よりも前記遮蔽リブを高くしたことを特徴としている。この構成によると、取水部の底面に滴下した水は前部に突設される遮蔽リブの遮蔽によって取水部の底部に溜められ、取水部の底面からの流水が防止される。取水口から滴下して前方に反射する水滴は反射部よりも高い遮蔽リブによって遮られる。
【００１３】
また本発明は、上記構成の冷蔵庫において、前記取水部の底面が着脱自在の水受皿により形成されることを特徴としている。この構成によると、取水部の底面に滴下した水が水受皿に溜められ、水受皿を脱着して排水される。
【発明の効果】
【００１４】
本発明によると、取水部の上部に配した取水口から滴下する水を取水部の背壁に向けて反射させる反射部を設けたので、取水部から前方への跳ね返りを防止することができる。従って、床面の浸水を防止することができる。
【図面の簡単な説明】
【００１５】
【図１】本発明の第１実施形態の冷蔵庫を示す正面図
【図２】本発明の第１実施形態の冷蔵庫の扉を開いた状態を示す斜視図
【図３】本発明の第１実施形態の冷蔵庫の冷水器の取水部を示す側面断面図
【図４】本発明の第１実施形態の冷蔵庫の冷水器の取水部を示す斜視図
【図５】本発明の第２実施形態の冷蔵庫の冷水器の取水部を示す斜視図
【図６】本発明の第３実施形態の冷蔵庫の冷水器の取水部を示す斜視図
【発明を実施するための形態】
【００１６】
以下に本発明の実施形態を図面を参照して説明する。図１は第１実施形態の冷蔵庫を示す正面図である。冷蔵庫１は上部に冷凍室２が配され、冷凍室２の下方に冷蔵室３が配される。冷凍室２及び冷蔵室３の前面はそれぞれ扉２ａ、３ａにより開閉される。冷蔵室３の扉３ａの前面には冷水器１０の取水部１１が凹設される。
【００１７】
図２は冷蔵庫１の扉２ａ、３ａを開いた状態を示す斜視図である。冷蔵室３の扉３ａの背面側には複数のドアポケット４が設けられ、上段には冷水器１０の水タンク１３が配される。水タンク１３の底部には給水パイプ１２が導出される。
【００１８】
水タンク１３は上面を開口して水を貯水する貯水部１４と貯水部１４の上面を覆う着脱自在の蓋部１５とを有している。蓋部１５を脱着して貯水部１４の清掃を行うことができる。蓋部１５には貯水部１４内に注水する注水口（不図示）が開口し、スライド移動して注水口を開閉する開閉部材１８が取り付けられる。
【００１９】
図３は冷水器１０の取水部１１の詳細を示す側面断面図である。枠部２１の前面には樹脂成形品から成るフレーム２２が係合爪（不図示）による係合によって固定される。フレーム２２によって取水部１１の背壁１１ｂが形成される。フレーム２２の上部は開口してレバー保持部２３が枠部２１にネジ止めされる。レバー保持部２３は軸部３４ａを上部に有したレバー３４を枢支する。レバー３４は後述するように下方に延びて押圧により回動する。枠部２１及びフレーム２２の左右方向の中央には後方に回動したレバー３４との干渉を回避する凹部２１ｂ、２２ａが設けられる。
【００２０】
また、レバー保持部２３はレバー３４の軸部３４ａの上方でアーム３５を枢支する。アーム３５は後端が下方に屈曲した断面Ｌ字状に形成され、レバー３４の軸部３４ａよりも上部に後端面が当接する。アーム３５の前部は前方が開口する平面視コ字状に形成され、ノズル３０の周面に突設した係合突起（不図示）に係合する。
【００２１】
レバー保持部２３の上部にはバルブ保持部２４が前方からネジ止めされる。バルブ保持部２４の背面のパイプ部２４ａはレバー保持部２３及び枠部２１に設けた挿通孔２３ａ、２１ａに挿通され、扉３ａを貫通して給水パイプ１２に接続される。バルブ保持部２４の前部は下方に屈曲し、先端の開口面にＯリング２６を介してスリーブ２５が螺設される。
【００２２】
スリーブ２５の下部はバルブ保持部２４の下方で縮径された縮径部２５ａを有し、縮径部２５ａにバルブ３２が挿通される。バルブ３２は放射状のリブ（不図示）によって縮径部２５ａ内でリブ間に軸方向の通路を形成し、上端に拡径した鍔部３２ａが形成される。バルブ３２の上端面とバルブ保持部２４の内面との間には圧縮バネ３３が設けられ、バルブ３２が下方に付勢される。これにより、鍔部３２ａが縮径部２５ａの上端面にＯリング３１を介して当接し、水タンク１３からの水を止水する。
【００２３】
レバー３４の下部を後方に押圧するとレバー３４の上部に当接するアーム３５が図中、反時計回りに回動する。これにより、アーム３５に当接するノズル３０が圧縮バネ３３の付勢力に抗してバルブ３２とともに上方に押し上げられ、水タンク１３からの水がノズル３０の取水口３０ａから流出する。
【００２４】
ノズル３０の取水口３０ａの開口面は後方が下がるように傾斜する。このため、止水時にノズル３０等に残留した水は取水口３０ａの後端から滴下する。また、バルブ保持部２４を前方からネジを外してバルブ３２やノズル３０と一体に取り外すことができる。これにより、バルブ３２とスリーブ２５間のゴミの除去やＯリング２６、３１の交換を行うことができる。
【００２５】
取水部１１の前面上部にはフレーム２２に取り付けられる前面カバー２７が配される。前面カバー２７はバルブ保持部２４やノズル３０等の前面を覆うとともにノズル３０の下方を覆ってこれらを隠蔽し、取水部１１の美感を向上する。また、前面カバー２７の下面には取水口３０ａに対向する開口部２７ａが形成されている。
【００２６】
取水部１１の背壁１１ｂを形成するフレーム２２の背面部分は水平断面が円弧状で下方が前方に傾斜する傾斜面２２ｂを有している。傾斜面２２ｂは取水部１１の底部から上方に延びてノズル３０の近傍まで形成される。枠部２１は傾斜面２２ｂに沿って傾斜して形成される。このため、取水部１１の背面側の発泡断熱材３ｄの厚みを大きくすることができ、扉３ａの背面側の突出量を削減して断熱厚さを確保することができる。
【００２７】
また、傾斜面２２ｂの下端及びレバー３４の下端は取水口３０ａの後端を通る鉛直線Ａよりも後方に配される。これにより、取水口３０ａの後端から滴下する水滴が傾斜面２２ｂやレバー３４で跳ね返って取水部１１よりも前方に飛散することを防止できる。
【００２８】
図４は冷水器１０の取水部１１の詳細を示す斜視図である。取水部１１の底部には着脱自在の水受皿４０が配され、水受皿４０の底面によって取水部１１の底面１１ａが形成される。水受皿４０の周縁には上方に突出した遮蔽リブ４０ａが設けられる。遮蔽リブ４０ａによって水受皿４０内に取水口３０ａから滴下する水を溜めて水受皿４０からの流水を防止することができる。
【００２９】
水受皿４０には取水口３０ａの鉛直直下に突起部４２が突設される。突起部４２の上面は後方が下がる傾斜面により形成される。このため、取水口３０ａから滴下する水は突起部４２で後方に反射する。即ち、突起部４２は取水口３０ａから滴下する水を取水部１１の背壁１１ｂの方向に反射させる反射部を構成する。また、水受皿４０の前端の遮蔽リブ４０ａは突起部４２の前端よりも高く形成されている。
【００３０】
上記構成の冷蔵庫１において、開閉部材１８を開いて注水口から貯水部１４に注水し、開閉部材１８が閉じられる。扉３ａを閉じると貯水部１４内の水が冷却される。使用者が取水部１１内に配したコップ等の容器によりレバー３４を押圧するとノズル３０とともにバルブ３２が上昇する。これにより、取水口３０ａから容器内に水タンク１３内の冷水が供給される。
【００３１】
容器をレバー３４から離すとバルブ３２が下降して止水される。この時、ノズル３０等に残留する水が取水口３０ａから滴下する。取水口３０ａから滴下する水滴は突起部４２の上面で取水部１１の背壁１１ｂの方向に反射する。これにより、取水部１１の前方への水の跳ね返りを防止することができる。また、突起部４２で水滴の一部が前方に反射しても突起部４２よりも高い遮蔽リブ４０ａに遮蔽されて水受皿４０内に戻される。
【００３２】
本実施形態によると、取水部１１の上部に配した取水口３０ａから滴下する水を取水部１１の背壁１１ｂに向けて反射させる突起部４２（反射部）を設けたので、取水部１１から前方への水の跳ね返りを防止することができる。従って、床面の浸水を防止することができる。
【００３３】
また、突起部４２の上面を後方が下がる傾斜面にすることにより、取水口３０ａから滴下する水を取水部１１の背壁１１ｂに向けて反射させる反射部を容易に実現することができる。
【００３４】
また、水受皿４０からの流水を防止する遮蔽リブ４０ａを取水部１１の底面１１ａ前部に突設して突起部４２よりも遮蔽リブ４０ａを高くしたので、床面の浸水をより確実に防止することができる。
【００３５】
また、着脱自在の水受皿４０を設けたので、取水口３０ａから滴下する水を水受皿４０に貯水し、水受皿４０を脱着して排水や清掃を行うことができる。従って、取水部１０を清潔に維持することができる。
【００３６】
また、冷水器１０の取水部１１の背壁１１ｂは下方が前方に傾斜する傾斜面２２ｂを有するので、傾斜面２２ｂの背面側に十分な断熱厚さを確保して結露を防止し、扉３ａの背面側の突出量を削減することができる。また、突起部４２で反射して傾斜面２２ｂに当たる水滴は垂直面に当たるよりも飛散エネルギーが分散される。このため、背壁１１ｂで跳ね返った水滴の取水部１１の前方への飛散を防止することができる。
【００３７】
次に、図５は第２実施形態の冷蔵庫の冷水器の取水部を示す斜視図である。説明の便宜上、前述の図１〜図４に示す第１実施形態と同一の部分は同一の符号を付している。本実施形態は第１実施形態の突起部４２（図４参照）が省かれ、取水部１１の底面１１ａの構成が異なっている。その他の部分は第１実施形態と同様である。
【００３８】
水受皿４０の上面から成る取水部１１の底面１１ａは後方が下がる傾斜面に形成される。このため、取水口３０ａから滴下する水は底面１１ａで後方に反射する。即ち、取水部１１の底面１１ａは取水口３０ａから滴下する水を取水部１１の背壁１１ｂの方向に反射させる反射部を構成する。
【００３９】
また、前部の遮蔽リブ４０ａは取水部１１の底面１１ａの前端から上方に突出して設けられる。このため、底面１１ａで水滴の一部が前方に反射しても遮蔽リブ４０ａに遮蔽されて水受皿４０内に戻される。
【００４０】
本実施形態によると、第１実施形態と同様に、取水部１１の上部に配した取水口３０ａから滴下する水を取水部１１の底面１１ａ（反射部）により取水部１１の背壁１１ｂに向けて反射させるので、取水部１１から前方への水の跳ね返りを防止することができる。従って、床面の浸水を防止することができる。
【００４１】
また、取水部１１の底面１１ａを後方が下がる傾斜面にすることにより、取水口３０ａから滴下する水を取水部１１の背壁１１ｂに向けて反射させる反射部を容易に実現することができる。
【００４２】
また、遮蔽リブ４０ａは取水部１１の底面１１ａよりも高いので、床面の浸水をより確実に防止することができる。
【００４３】
次に、図６は第３実施形態の冷蔵庫の冷水器の取水部を示す斜視図である。説明の便宜上、前述の図１〜図４に示す第１実施形態と同一の部分は同一の符号を付している。本実施形態は第１実施形態の突起部４２（図４参照）が省かれ、取水部１１の底面１１ａの構成が異なっている。その他の部分は第１実施形態と同様である。
【００４４】
水受皿４０の上面から成る取水部１１の底面１１ａにはアーチ状の反射リブ４３が突設される。反射リブ４３は取水口３０ａの平面投影した大きさに対して僅かに大きく、取水口３０ａの鉛直直下近傍に配される。このため、取水口３０ａから滴下する水は底面１１ａで反射し、前方に反射した水滴が反射リブ４３で再度後方に反射する。即ち、反射リブ４３は取水口３０ａから滴下する水を取水部１１の背壁１１ｂの方向に反射させる反射部を構成する。
【００４５】
この時、反射リブ４３は取水口３０ａの鉛直直下近傍に配されるため、底面１１ａで反射した水滴が低い高さで反射リブ４３に衝突する。これにより、反射リブ４３を超える水滴を低減することができる。
【００４６】
また、遮蔽リブ４０ａは反射リブ４３よりも高く形成される。このため、底面１１ａで前方に反射した水滴の一部が反射リブ４３を超えても遮蔽リブ４０ａに遮蔽されて水受皿４０内に戻される。
【００４７】
本実施形態によると、第１実施形態と同様に、取水部１１の上部に配した取水口３０ａから滴下する水を反射リブ４３（反射部）により取水部１１の背壁１１ｂに向けて反射させるので、取水部１１から前方への水の跳ね返りを防止することができる。従って、床面の浸水を防止することができる。
【００４８】
また、反射リブ４３により取水口３０ａから滴下する水を取水部１１の背壁１１ｂに向けて反射させる反射部を容易に実現することができる。尚、反射リブ４３は取水口３０ａの鉛直直下の少なくとも前方を覆うことにより前方への水滴の飛散を防止できる。
【００４９】
また、遮蔽リブ４０ａが反射リブ４３よりも高いので、床面の浸水をより確実に防止することができる。
【産業上の利用可能性】
【００５０】
本発明によると、冷水器を備えた冷蔵庫に利用することができる。
【符号の説明】
【００５１】
１    冷蔵庫
２    冷凍室
２ａ、３ａ  扉
３    冷蔵室
１０    冷水器
１１    取水部
１１ａ  底面
１１ｂ  背壁
１２    給水パイプ
１３    水タンク
１４    貯水部
１５    蓋部
１８    開閉部材
２１    枠部
２１ｂ、２２ａ、２２ｃ  凹部
２２    フレーム
２２ｂ  傾斜面
２３    レバー保持部
２４    バルブ保持部
２５    スリーブ
２６、３１  Ｏリング
２７    前面カバー
３０    ノズル
３０ａ  取水口
３２    バルブ
３３    圧縮バネ
３４    レバー
３５    アーム
４０    水受皿
４０ａ  遮蔽リブ
４２    突起部
４３    反射リブ
【図１】
2011012829.tif 000003
【図２】
2011012829.tif 000004
【図３】
2011012829.tif 000005
【図４】
2011012829.tif 000006
【図５】
2011012829.tif 000007
【図６】
2011012829.tif 000008